(57)【要約】【課題】格納式ペン先を備えるキャップレス万年筆で、ペン先の出し入れおよび開口を閉鎖する機構が簡単で審美性および使い易さと両立する万年筆を提供すること。【解決手段】この外部管状ハウジング１の一端は、半分が固定壁１ａで閉じてあり、その内部に、やはり一端を半円形の壁２ａで閉じた内部管状ハウジング２が回動可能に取付けてあり、この内部ハウジング内に、ペン先５を備えインクカートリッジに結合可能なユニット４を坦持するスリーブ３が軸方向および円周方向に移動自由に取付けてある。スリーブ３から出る突起１０は、内部ハウジングの縦スロット９を通り、外部ハウジングの円周スロット７またはそれと直交する縦スロット８を通る。図１のこの万年筆の端が二つの壁で完全に閉じた状態から、突起１０を軸周りに１８０°回転すると、端が開き、二つのスロットが重なり、突起を進めるとペン先５が出る。【選択図】図１
2006103333.tif 000002
【特許請求の範囲】
【請求項１】
格納式ペン先（５）を備えるキャップレス万年筆であって、外部管状ハウジング（１）、このペン先（５）、インク供給装置および上記ハウジング（１）内部に取付けた摺動インク筒（６）を坦持する筆記ユニット（４）、上記ハウジング（１）内の上記筆記ユニット（４）の軸方向運動用制御手段、および上記外部管状ハウジング（１）内に摺動且つ枢動するように収容した内部管状ハウジング（２）を含み、上記外部管状ハウジング（１）は、その端の一つがそれと一体の固定壁（１ａ）によって部分的に閉ざされていて、上記筆記ユニット（４）は、上記内部管状ハウジング（２）内に摺動可能に取付けてあり、上記内部管状ハウジング（２）は、この筆記ユニット（４）の軸方向運動を制御する上記手段によって制御された上記内部管状要素（２）の軸回転後に、第１動作位置で上記端を完全に閉じ、または第２動作位置で、このペン先（５）にそこを通過させるために、それを部分的に開くように、この外部管状ハウジング（１）の上記端に位置し且つ形状が上記固定壁（１ａ）のそれと相補の可動壁（２ａ）が作ってある万年筆。
【請求項２】
請求項１による万年筆に於いて、上記制御手段は、上記内部管状ハウジング（２）内に配置してあり且つ上記筆記ユニット（４）が固定してあるスリーブ（３）を含み、上記スリーブ（３）は、半径方向に突出する要素（１０）を有し、上記内部管状ハウジング（２）も、内部に上記突出する要素（１０）が摺動可能に係合する縦方向スロット（９）を有し、上記外部管状ハウジング（１）は、今度は縦方向スロット（８）およびそれから上記軸回転の角度に等しい幅だけ伸びる周囲スロット（７）を有し、上記ペン先（５）が格納位置にあるとき、上記突出する要素（１０）も上記周囲スロット（７）に係合し、それによって、上記突出する要素（１０）に上記スロット（７）の中を摺動させることによって、これら二つの縦方向スロット（８、９）が互いに重なるまでこの内部管状ハウジング（２）の上記軸回転を生じ、並びにこの様に、上記突出する要素（１０）をそれら（８、９）の内部で摺動させることによって、上記筆記ユニット（４）の軸方向摺動および上記ペン先（５）の出現を生じる万年筆。
【請求項３】
請求項２による万年筆に於いて、上記縦方向スロット（８、９）は、上記ハウジング（１、２）の上記固定（１ａ）および可動壁（２ａ）を坦持する端と反対の端から上記ハウジング（１、２）の中間点まで伸び且つこれらのそれぞれの壁（１ａ、２ａ）と軸方向に対向する部分に配置してある万年筆。
【請求項４】
請求項１による万年筆に於いて、上記内部管状ハウジング（２）の上記軸回転および上記周囲スロット（７）は、約１８０°の幅を有する万年筆。
【請求項５】
請求項１による万年筆に於いて、上記ペン先（５）が格納位置にあるとき、上記外部管状ハウジング（１）の縦方向スロット（８）および上記内部管状ハウジング（２）の縦方向スロット（９）は、この軸線に関して直径的に対向する部分に配置してある万年筆。
【請求項６】
請求項１による万年筆に於いて、上記制御手段は、上記内部管状ハウジング（２）内に配置してあり且つ上記筆記ユニット（４）が固定してあり、外部らせん状突起（１４）の付いた内部スリーブ（１５）を含み、上記外部管状ハウジング（１）は、軸方向におよび枢動するように、内部に上記らせん状突起（１４）が摺動するように係合する内部らせん状溝（１３）の付いた外部スリーブ（１１）の端で結合してあり、上記内部管状ハウジング（２）は、上記可動壁（２ａ）を坦持する端まで伸びる少なくとも一つの縦方向スロット（１６）および上記縦方向スロット（１６）の内端から伸びる少なくとも第２らせん状スロット（１７）を有し、上記内部スリーブ（１５）は、上記ペン先（５）が格納位置にあるとき、上記第２らせん状スロット（１７）に係合する少なくとも一つの半径方向の歯（１８）を有し、それによって上記外部スリーブ（１１）をそれ自体の軸線周りに回転することによって、上記歯（１８）が最初上記第２らせん状スロット（１７）内を摺動し、これが上記内部管状ハウジング（２）の軸回転を生じ、次に上記縦方向スロット（１６）の内を摺動し、これが上記ペン先（５）の出現を生じる万年筆。
【請求項７】
請求項６による万年筆に於いて、上記内部管状ハウジング（２）上に対向する部分に二つの縦方向スロット（１６ａ、ｂ）および上記縦方向スロット（１６ａ、ｂ）の内端から伸びる対向する側に二つの第２らせん状スロット（１７ａ、ｂ）があり、上記内部スリーブ（１５）は、上記スロットの内側に摺動するように係合する二つの半径方向の歯（１８）を有する万年筆。
【請求項８】
請求項６による万年筆に於いて、上記軸回転および上記第２らせん状スロット（１７）は、約１８０°に等しい幅を有する万年筆。
【請求項９】
請求項６による万年筆に於いて、上記外部スリーブ（１１）は、上記外部管状ハウジング（１）に、後者にねじ止したリング（１２）によって、上記外部管状ハウジング（１）および上記外部スリーブ（１１）の端を締結して後者の自由な軸回転を可能にするために、結合してある万年筆。
【発明の詳細な説明】
【技術分野】
【０００１】
本発明は、格納式ペン先の通路を閉鎖するための装置を備えるキャップレス型の万年筆に関する。
【背景技術】
【０００２】
上述の型の万年筆は、周知である。この型の万年筆にはキャップがないので、筆記ユニット（ペン先、インク供給装置および対応するインク筒を含む）が、ペン先が出て来られるようにするために、この軸または万年筆の内部へ滑り込む。この万年筆を使わず、ペン先が格納位置にあるとき、インクが乾くのを防ぐため、この万年筆の端に設けた通路を閉ざさねばならず、および使うときは開けられなければならない。キャップのない万年筆の周知のモデルでは、この軸の反対端のボタンを押すことによって、ボールペンを代表する機構を使ってペン先を出て来させる。この場合、使わないときは、シャッタによってペン先の出口通路を閉じておき、そのシャッタは、ペン先の送り装置またはその支持体によって柔軟に押すと上がり、ペン先が引込むと再び下りる。
【０００３】
キャップなしの、従って格納式ペン先を備える万年筆を設計したいという要求に、このペン先ホルダの摺動機構および必要な閉鎖装置を制御する方法の問題がある。そこでこの問題の解決策は、構造的単純性、万年筆の美しさおよび使い易さと両立しなければならない。
【発明の開示】
【発明が解決しようとする課題】
【０００４】
従って、本発明の目的は、上述の機能的および審美的要件を満たす、キャップレス万年筆を提供することである。
【課題を解決するための手段】
【０００５】
この目的は、本発明によるキャップレス万年筆で、その主な特徴が、この外部管状ハウジングがその端の一つをそれと一体の固定壁によって部分的に閉ざされていて、内部に上記筆記ユニットが摺動可能に収容してある内部管状ハウジングがこの外部管状ハウジング内に摺動且つ枢動するように取付けてあるという事実である万年筆で達成される。この内部管状ハウジングと一体の可動壁も設けてあり、それは、この筆記ユニットの軸方向運動を制御するのと同じ制御手段によって制御されたこの内部管状要素の軸回転後に、第１動作位置でこの端を完全に閉じ、または第２動作位置で、このペン先にそこを通過させるために、それを部分的に開くように、この外部管状ハウジングのこの端に位置し且つ形状がこの固定壁のそれと相補である。この様にしてユーザがこの筆記ユニットを軸方向に動かすために加える動作が最初この可動壁を回転させ、次にこの万年筆の軸の端でペン先用の通路を開く。
【発明を実施するための最良の形態】
【０００６】
特に、この筆記ユニットの軸方向運動の制御手段は、半径方向に突出する要素を有するスリーブおよびやはり内部をこの突出する要素が摺動する縦方向スロットを有する内部管状ハウジングを備える実質的にバヨネット型でもよい。この外部管状ハウジングは、今度は縦方向スロットおよびそれから軸回転の角度に等しい幅だけ伸びる周囲スロットを有し、このペン先が格納位置にあるとき、この突出する要素が周囲スロットに係合し、それによって、この突出する要素にこのスロットの中を摺動させることによって、これら二つの縦方向スロットが互いに重なるまでこの内部管状ハウジングが軸の周りを回転し、および次に、この突出する要素をそれらの内部で摺動させることによって、この筆記ユニットの軸方向摺動およびこのペン先の出現／格納を生じる。
【０００７】
本発明によるキャップレス万年筆の、利点は勿論、特徴は、添付の図面を参照して、非限定的例として挙げる、その実施例の説明から明白となろう。
【０００８】
予め、添付の図面では、この万年筆の外部構造を非常に概略的方法で表し、それが設計者の審美的選択および本発明による技術的解決策を組込んだ万年筆のモデルによって変り得ることが明白であることを述べなければならない。
【実施例１】
【０００９】
この発明による万年筆の第１実施例を図１ないし図５に示す。これらの図を参照して、１は、この万年筆の軸を形成し、ほぼ半円形の固定壁によって端が半分閉じた、外部管状ハウジングであり、および２は、外部管状ハウジング１の内側に同軸に且つ枢動するように取付けた内部管状ハウジングである。この内部管状ハウジング２の一端は、壁１ａに当接し、次には、可動壁と呼ぶ、形状がほぼ半円形で、従って固定壁１ａのそれと相補の壁２ａによって部分的に閉ざされている。内部管状ハウジング２は、軸方向に摺動可能な方法で、概略的且つ４で示す筆記ユニットを坦持するスリーブ３の上に取付けてあり、そのユニットは、インク供給装置を含み、それからペン先５が軸方向に伸び、反対部分から、例えば、交換可能カートリッジ型の、インク筒６に結合してある。
【００１０】
この外部管状ハウジング１は、壁１ａがあるのと反対端近くに、ハウジング１の軸に垂直な平面上をある長さ、特に１８０°に亘って、伸びる円周方向スロット７を有する。円周方向スロット７は、同じ端からこの全長に沿ってほぼ中間までで伸びる、この外部管状ハウジング１の縦方向スロット８で終る。内部管状ハウジング２は、壁２ａがあるのと反対の端からその全長に沿ってほぼ中間までで伸びる、縦方向スロット９も有する。スリーブ３から、内部管状ハウジング２のスロット９と係合する、半径方向に突出する要素１０も伸びる。
【００１１】
縦方向スロット９は、内部管状ハウジング２の他端に設けてある壁２ａに関して直径的に反対端に設けてある。同様に、縦方向スロット８は、外部管状ハウジング１の他端に作ってある壁１ａに関して直径的に反対端に設けてある。この様にして、スロット８および９が中心軸に関して直径的に対向して位置するとき、壁２ａは、壁１ａによって覆われない、外部管状ハウジングの端１ａの開いた部分を完全に閉じる。
【００１２】
ペン先５が図１に示すように完全に引込んでいるとき、半径方向に突出する要素１０は、縦方向スロット９および円周方向スロット７の両方と、上記スロットが外部管状ハウジング１の縦方向スロット８と出合うのと反対端で係合する。スリーブ３の半径方向に突出する要素１０を円周方向スロット７の一端から他端まで摺動させることによって、内部管状ハウジング２の対応する回転を引き起し、壁２ａが図１に示す位置から、それが壁１ａの近くにその後にある図２に示す位置へ変位し、ペン先５のために通路を開けておく。
【００１３】
内部管状ハウジング２の回転後、縦方向スロット９は、縦方向スロット８と半径方向に整列し、それによって半径方向に突出する要素１０をスロットに沿って軸方向に動かせ、スリーブ３を内部管状ハウジング２の内側を軸方向に摺動させ、ペン先５を壁２ａが開けておいた通路から現れる結果となる。このペン先を内部管状要素２の内側に引込め、後者を閉じるためには、半径方向に突出する要素１０に、それを円周方向スロット７の閉じた端へ戻すために、逆動作を行うことが必要である。
【実施例２】
【００１４】
図６および図７に示す、この発明の別に実施例によれば、別の制御システムを使ってペン先５を出し入れする。図示する二つの実施例では、同じ要素に同じ参照番号が付けてある。
【００１５】
図６および図７を参照して、その端に固定壁１ａを備える、外部管状ハウジング１は、ねじ付きリング１２によって、それがその軸上を自由に回転できるように、端と端を接し外部管状ハウジング１に結合した外部スリーブ１１と軸方向に整列している。スリーブ１１の内側に、らせん状溝１３があり、ペン先５を備える筆記ユニット４およびインクカートリッジ６を坦持する内部スリーブ１５上に作ってある対応するらせん状突起１４が溝１３と係合する。外部管状ハウジング１の内側に、この発明の先の実施のように、その端に、固定壁１ａに当接する、可動閉鎖壁２ａを備える内部管状ハウジング２がある。この内部管状ハウジング２は、外部管状ハウジング１に枢動するように取付けてあり、および直径的に対向する部分に作ってあり且つその中間部から可動壁２ａを備える端まで延びる、１対の縦方向スロット１６ａ、１６ｂを有する。二つの縦方向スロット１６ａおよび１６ｂから、直径的に対向する部分から内部管状ハウジング２の側面に沿って反対方向に伸びる二つのそれぞれらせん状のスロット１７ａおよび１７ｂが走る。
【００１６】
内部スリーブ１５の、ペン先５が伸びる前端から、内部管状ハウジング２内にある内部スリーブの運動を案内する、二つの半径方向歯１８が直径的に対向部分から伸びる。更に具体的におよび図６に示すように、ペン先５が内部管状ハウジング２内の格納位置にあるとき、二つの半径方向歯１８は、らせん状スロット１７ａおよび１７ｂの端に位置する。外部スリーブ１１を１８０°回転すると、内部スリーブ１５は、進ませられおよび、最初はらせん状スロット１７ａ、ｂと係合し次に縦方向スロット１６ａ、ｂと係合する、その歯１８によって内部管状ハウジング２に拘束されて、回転できずに軸方向に摺動するだけで、代りに歯１８がらせん状スロット１７ａ、ｂを通り抜けるまで内部管状ハウジング２を１８０°回転させる。この様にして、閉鎖壁２ａが図６に示す位置から、それが壁１ａの近くにその後にあってペン先５のための通路を開けておく、図７の位置へ移る。
【００１７】
この発明の本実施例で、この万年筆は、この場合内部管状ハウジングが回転する間ペン先５が前進し、それによって二つの内部および外部管状ハウジングは、壁２ａが図７に示すその最終位置に達する前に、それが回転する間ペン先５が壁２ａと干渉するのを防ぐに十分な付加的長さがなければならないので、先に説明し且つ図１ないし図５に示したものより必ず長いだろう。
【００１８】
各場合に、本発明のために、長さが短く且つペン先を出し入れするために片手しか使わなくても非常に使い易い万年筆を作ることが可能である。
【００１９】
この発明への種々の修正および変更は、この開示を検討すれば察知されよう。これらの変更および追加は、以下の請求項によって定義するこの発明の範囲および精神内内にあることを意図する。
【図面の簡単な説明】
【００２０】
【図１】本発明による万年筆の第１実施例の、ペン先を格納した縦断面図である。
【図２】図１の万年筆の、ペン先を出した縦断面図である。
【図３】図１の万年筆の矢印Ｆによる正面図である。
【図４】図１の万年筆の外部ハウジングの側面図を示す。
【図５】図１の万年筆の内部回転ハウジングの縦断面図である。
【図６】本発明による万年筆の第２実施例の、ペン先が格納位置にある縦断面図である。
【図７】図６の万年筆の、ペン先が出した位置にある縦断面図である。
【符号の説明】
【００２１】
１  外部管状ハウジング
１ａ  固定壁
２  内部管状ハウジング
２ａ  可動壁
３  スリーブ
４  筆記ユニット
５  ペン先
６  インク筒
７  周囲スロット
８  縦方向スロット
９  縦方向スロット
１０  突出要素
１１  外部スリーブ
１２  リング
１３  らせん状溝
１４  らせん状突起
１５  内部スリーブ
１６  縦方向スロット
１７  第２らせん状スロット
１８  歯
【図１】
2006103333.tif 000003
【図２】
2006103333.tif 000004
【図３】
2006103333.tif 000005
【図４】
2006103333.tif 000006
【図５】
2006103333.tif 000007
【図６】
2006103333.tif 000008
【図７】
2006103333.tif 000009
【外国語明細書】
2006103333000001.pdf